(57)【特許請求の範囲】
【請求項１】
一方の引戸１の框２に内装された複数の鎌受け摺動片３，３と、これらの鎌受け摺動片３，３に自在に係合する鎌片４を前記框２に対向する框５内に備えた他方の引戸６とから成り、前記鎌受け摺動片３，３は、引戸の開く方向向きにそれぞれ段差状受け部９，９を有し、かつ、框２に内装された複数のバネ部材８のバネ力に抗してそれぞれ上下方向に摺動可能に設けられ、一方、鎌片４は框５に摺動自在に内装された作動部材２３の作動により回転して先端部４ａが前記段差状受け部９，９に係合するように框５内に固定支軸３０を介して軸支されていることを特徴とする引き違い戸の鎌錠装置。
【請求項２】
請求項１に於いて、鎌受け摺動片３，３は逆さ階段状の受け部９を有する左右１対のブロック体であり、落下しないように外框２の内壁面のストッパー１０に止められ、常に鎌片４の先端部４ａと係合できるように位置付けられていることを特徴とする引き違い戸の鎌錠装置。
【請求項３】
請求項１において、鎌片４の先端部４ａは、階段状に設けられていることを特徴とする引き違い戸の鎌錠装置。
【請求項４】
一方の引戸１の框２に内装された複数の鎌受け摺動片３Ａ，３と、これらの鎌受け摺動片３Ａ，３に自在に係合する鎌片４を前記框２に対向する框５内に備えた他方の引戸６とから成り、前記鎌受け摺動片３Ａ，３は、引戸の開く方向向きにそれぞれ段差状受け部９，９を有し、かつ、鎌受け摺動片３Ａ，３の上面１２に設けられたバネ端支持腕４１を介し、内装バネ部材８Ａのバネ力に抗してそれぞれ上下方向に摺動可能に設けられ、一方、鎌片４は框５に摺動自在に内装された作動部材２３の作動により回転して先端部４ａが前記段差状受け部９，９に係合するように框５内に固定支軸３０を介して軸支されていることを特徴とする引き違い戸の鎌錠装置。
【請求項５】
請求項４に於いて、鎌受け摺動片３Ａ，３の上面１２に設けられたバネ端支持腕４１は、一方の鎌受け摺動片３Ａに一体的に形成された幅広の支持板であることを特徴とする引き違い戸の鎌錠装置。
【請求項６】
一方の引戸１の框２に内装された複数の鎌受け摺動片３Ｂ，３Ｂと、これらの鎌受け摺動片３Ｂ，３Ｂに自在に係合する鎌片４を前記框２に対向する框５内に備えた他方の引戸６とから成り、前記鎌受け摺動片３Ｂ，３Ｂは、一側壁３６Ｂに形成されかつ引戸の開く方向向きに段差状受け面９Ｂを有し、また框２に内装された複数個バネ部材８Ｂのバネ力に抗してそれぞれ上下方向に摺動可能に設けられ、一方、鎌片４は框５に摺動自在に内装された作動部材２３の作動により回転して中間部４ｃが前記段差状受け面９Ｂ，９Ｂに係合するように框５内に固定支軸３０を介して軸支されていることを特徴とする引き違い戸の鎌錠装置。
【請求項７】
請求項６に於いて、鎌受け摺動片３Ｂ，３Ｂは左右に１対設けられ、これらの鎌受け摺動片３Ｂ，３Ｂの上面１２Ｂ，１２Ｂには、掛合時に鎌片４の先端部４ａが突き抜けるように入り込む対向状切欠部４２，４２が形成されていることを特徴とする引き違い戸の鎌錠装置。
【請求項８】
一方の引戸１の框２に内装された複数の鎌受け摺動片３Ｃ，３Ｃと、これらの鎌受け摺動片３Ｃ，３Ｃに自在に係合する鎌片４を前記框２に対向する框５内に備えた他方の引戸６とから成り、前記鎌受け摺動片３Ｃ，３Ｃは、一側壁３６Ｃに形成されかつ引戸の開く方向向きに段差状受け面９Ｃを有し、また鎌受け摺動片３Ｃ，３Ｃの上部１２に設けられたバネ端支持腕４１Ｃを介し、内装バネ部材８Ｃのバネ力に抗して上下方向に摺動可能に設けられ、一方、鎌片４は框５に摺動自在に内装された作動部材２３の作動により回転して中間部４ｃが前記段差状受け面９Ｃ，９Ｃに係合するように框５内に固定支軸３０を介して軸支されていることを特徴とする引き違い戸の鎌錠装置。
【請求項９】
請求項８に於いて、鎌受け摺動片３Ｃ，３Ｃは左右に１対設けられ、掛合時に鎌片４の先端部４ａは、これらの鎌受け摺動片３Ｃ，３Ｃに形成された開口４５内に突き抜けるように入り込むことを特徴とする引き違い戸の鎌錠装置。
【請求項１０】
一方の引戸１の框２に内装された鎌受け回動片３Ｄと、この鎌受け回動片３Ｄに自在に係合する鎌片４を前記框２に対向する框５内に備えた他方の引戸６とから成り、前記鎌受け回動片３Ｄは、外框２に横設軸架された固定軸４６に回動自在に軸支された多数の回動板４７で構成され、これらの各回動板４７は、基端部が外框２に固定された板バネ部材８Ｄの各押圧指部４９にそれぞれ支持され、一方、鎌片４は框５に摺動自在に内装された作動部材２３の作動により回転して先端部４ａが前記回動板４７に選択的に係合するように框５内に固定支軸３０を介して軸支されていることを特徴とする引き違い戸の鎌錠装置。
【請求項１１】
請求項１０に於いて、板バネ部材８Ｄの基端部寄りの部位は、外框２に固定的に横設した支持棒５２に支持されていることを特徴とする引き違い戸の鎌錠装置。
【発明の詳細な説明】
【０００１】
【発明の属する技術分野】
本発明は、引き違い戸の鎌錠装置に関する。
【０００２】
【従来の技術】
戸枠内を水平移動する引き違い戸は、左右の引戸を完全に閉めてから鎌片でロックするのが望ましい。しかし、日常生活では引戸を閉めた場合に「跳ね返り現象」によりしばしば若干の隙間が生じることがある。そのような場合においても、間隙状態が日常生活の許容範囲であるものならば、一旦引戸を閉じた状態で直ちに鎌片でロックできるようにしても良い。
【０００３】
【発明が解決しようとする課題】
本発明は、第１の目的は、引戸を閉めた際に引戸の位置ズレが若干あっても、鎌片を係止可能或いは係止状態にすることができることである。第２の目的は、引戸の位置ズレの許容範囲を可能な限り広げることができることである。第３の目的は、鎌錠装置の取り付け作業の効率化を図ることができることである。
【０００４】
【課題を解決するための手段】
本発明の引き違い戸の鎌錠装置は、一方の引戸１の框２に内装された複数の鎌受け摺動片３，３と、これらの鎌受け摺動片３，３に自在に係合する鎌片４を前記框２に対向する框５内に備えた他方の引戸６とから成り、前記鎌受け摺動片３，３は、引戸の開く方向向きにそれぞれ段差状受け部９，９を有し、かつ、框２に内装された複数のバネ部材８のバネ力に抗してそれぞれ上下方向に摺動可能に設けられ、一方、鎌片４は框５に摺動自在に内装された作動部材２３の作動により回転して先端部４ａが前記段差状受け部９，９に係合するように框５内に固定支軸３０を介して軸支されていることを特徴とする。
【０００５】
また本発明の引き違い戸の鎌錠装置は、一方の引戸１の框２に内装された複数の鎌受け摺動片３Ａ，３と、これらの鎌受け摺動片３Ａ，３に自在に係合する鎌片４を前記框２に対向する框５内に備えた他方の引戸６とから成り、前記鎌受け摺動片３Ａ，３は、引戸の開く方向向きにそれぞれ段差状受け部９，９を有し、かつ、鎌受け摺動片３Ａ，３の上面１２に設けられたバネ端支持腕４１を介し、内装バネ部材８Ａのバネ力に抗してそれぞれ上下方向に摺動可能に設けられ、一方、鎌片４は框５に摺動自在に内装された作動部材２３の作動により回転して先端部４ａが前記段差状受け部９，９に係合するように框５内に固定支軸３０を介して軸支されていることを特徴とする。
【０００６】
また本発明の引き違い戸の鎌錠装置は、一方の引戸１の框２に内装された複数の鎌受け摺動片３Ｂ，３Ｂと、これらの鎌受け摺動片３Ｂ，３Ｂに自在に係合する鎌片４を前記框２に対向する框５内に備えた他方の引戸６とから成り、前記鎌受け摺動片３Ｂ，３Ｂは、一側壁３６Ｂに形成されかつ引戸の開く方向向きに段差状受け面９Ｂを有し、また框２に内装された複数個バネ部材８Ｂのバネ力に抗してそれぞれ上下方向に摺動可能に設けられ、一方、鎌片４は框５に摺動自在に内装された作動部材２３の作動により回転して中間部４ｃが前記段差状受け面９Ｂ，９Ｂに係合するように框５内に固定支軸３０を介して軸支されていることを特徴とする。
【０００７】
また本発明の引き違い戸の鎌錠装置は、一方の引戸１の框２に内装された複数の鎌受け摺動片３Ｃ，３Ｃと、これらの鎌受け摺動片３Ｃ，３Ｃに自在に係合する鎌片４を前記框２に対向する框５内に備えた他方の引戸６とから成り、前記鎌受け摺動片３Ｃ，３Ｃは、一側壁３６Ｃに形成されかつ引戸の開く方向向きに段差状受け面９Ｃを有し、また鎌受け摺動片３Ｃ，３Ｃの上部１２に設けられたバネ端支持腕４１Ｃを介し、内装バネ部材８Ｃのバネ力に抗して上下方向に摺動可能に設けられ、一方、鎌片４は框５に摺動自在に内装された作動部材２３の作動により回転して中間部４ｃが前記段差状受け面９Ｃ，９Ｃに係合するように框５内に固定支軸３０を介して軸支されていることを特徴とする。
【０００８】
また本発明の引き違い戸の鎌錠装置は、一方の引戸１の框２に内装された鎌受け回動片３Ｄと、この鎌受け回動片３Ｄに自在に係合する鎌片４を前記框２に対向する框５内に備えた他方の引戸６とから成り、前記鎌受け回動片３Ｄは、外框２に横設軸架された固定軸４６に回動自在に軸支された多数の回動板４７で構成され、これらの各回動板４７は、基端部が外框２に固定された板バネ部材８Ｄの各押圧指部４９にそれぞれ支持され、一方、鎌片４は框５に摺動自在に内装された作動部材２３の作動により回転して先端部４ａが前記回動板４７に選択的に係合するように框５内に固定支軸３０を介して軸支されていることを特徴とする。
【０００９】
【発明の実施の形態】
まず、図１及び図２により本発明の実施形態の第１実施例を説明する。Ｘは引き違い戸に取り付けられた鎌錠装置で、この鎌錠装置Ｘは、外側引戸（一方の引戸の意味）１の外框２に設けられた複数枚の鎌受け摺動片３，３と、この鎌受け摺動片３に自在に係合する鎌片４を内框５に備えた内側引戸（他方の引戸の意味）６とから構成されている。
【００１０】
図１で示すように、外框２は外側引戸１の一端部に設けられた縦框であり、引戸１，６を互いに閉めた際に内框５と対向する縦板２ａの中央部或いは中央部よりの部位には、鎌片用窓７が形成されている。この鎌片用窓７の開口幅は、前記複数枚の鎌受け摺動片３，３の合計幅を考慮してやや幅広に形成されている。
【００１１】
外框２内には、鎌片用窓７に臨んで前記左右１対の鎌受け摺動片３，３が、上方方向にそれぞれバネ部材８，８のバネ力に抗してスライドすることができるように設けられている。
【００１２】
各鎌受け摺動片３は、階段形状のブロック体であり、本実施例では、図１で示すように逆さ階段状の左右１対の鎌受け摺動片３，３が互いに対称的に対設している。左右１対の鎌受け摺動片３，３の逆さ階段の部分は、互いに向き合うように外框２内に組込まれているので、各階段状受け部９，９の水平面は、下方に指向している。
【００１３】
なお、各鎌受け摺動片３，３は、落下しないように外框２の内壁面に適宜に固定されたストッパー（或いはストッパー部）１０に止められ、常に鎌片４の先端部４ａと係合できるように位置付けられている。
【００１４】
ここで図１を基準として前記階段状の受け部９の向きについて説明する。図１において、矢印Ａは左右の引戸を閉める方向を表す。この場合引戸を閉める矢印Ａ方向へ向かってそれぞれの段差状受け部９，９の垂直面が見える。
【００１５】
各鎌受け摺動片３，３をそれぞれ付勢するバネ部材８，８は、例えば圧縮コイルバネが採用され、上端部は外框２内に固定されたバネ端受け板１１に支持され、一方、下端部は各鎌受け摺動片３の上面１２，１２にそれぞれ圧接している。したがって、各鎌受け摺動片３，３は、図２で示す仮想線の位置までそれぞれバネ部材８，８のバネ力に抗して移動可能である。
【００１６】
図２には鎌片４と関係する環境部材が示されている。各環境部材については簡単に説明する。１５は外框２の鎌片用窓７と対向可能な鎌片出入り口１６を有するフロント、１７は内框５の開口部１８内に組込まれたケース状固定枠、１９は内框５に複数個の固着具２０を介して固定された内側カバー（通称、内側エスカチオン）、２１は内側カバーの内壁面に形成された切欠部２２内に組込まれた断面十字形状の操作片、２３はケース状固定枠１７に上下動自在（摺動自在の意味）に内装された枠状作動部材である。この枠状作動部材２３と操作片２１は一体的に設けられ、駆動部材としての機能を果たす。
【００１７】
なお、内側カバー（通称、内側エスカチオン）１９に操作片２１の摘み部２１ａ用案内小切欠部２５などが形成されている。また、ケース状固定枠１７にも操作片２１の案内小切欠部２６やフロント１５の鎌片出入り口１６と符合する窓状開口２７が形成されている。
【００１８】
鎌片の後端部４ｂは、ケース状固定枠１７に横設軸架された固定支軸３０に軸支され、かつ、後端部に形成されたＴ字型状の係合孔１３に係合する作動部材２３の作動軸３１に係止されている。
【００１９】
次に、図３は本発明の主要部材を示す。前述したように各鎌受け摺動片３，３は、階段形状のブロック体であり、逆さ階段状の受け部９の水平面が下方を指向するように外框２内に対向状態に組込まれている。そして、各鎌受け摺動片３，３は、左右１対のバネ部材８，８でそれぞれ別個に付勢されている。
【００２０】
図４及び図５は、各鎌受け摺動片３，３がバネ部材８，８にそれぞれ圧されて初期位置に下降し、かつ、鎌片４が非掛合状態であることを示す。この非掛合状態において、操作片２１の操作により作動部材２３が下降すると、鎌片４は固定支軸３０を中心に回転する。
【００２１】
図６及び図７は、引戸１，６を閉めた際に、引戸の位置ズレが若干あってもそれを無視し、そのまま鎌片４を係合（掛合）方向へと回した場合の状態を示している。この場合図６を基準にすると、鎌片４の先端部４ａは、左側鎌受け摺動片３の１番上方の段差状上方係合部９ａと、右側鎌受け摺動片３の１番下方の段差状下方係合部９ｃとにそれぞれ係合している。符合９ｂは上方と下方の中間に位置する段差状中間係合部である。したがって、引戸の位置ズレ如何によっては、鎌片４の先端部４ａはこの段差状中間係合部９ｂにも係合する。
【００２２】
【実施例】
第１実施例において、本実施例では、例えば図２を基準にすると、鎌片４の先端部４ａは、引戸の閉止位置如何によって各鎌受け摺動片３，３の下方に階段状に広がる受け部９，９にそれぞれ係合するが、鎌片４の取付け如何によって鎌片の先端部４ａが下向きに係合する場合には、当然、各鎌受け摺動片３，３の階段状受け部９，９は上方に指向する。したがって、階段状受け部９が下向きであることは発明の特定要件ではない。
【００２３】
また各鎌受け摺動片３，３は、望ましくは外框２の内壁面に設けた或いは形成したガイド部（例えばガイド溝）に案内されている。さらに、鎌片４は作動部材２３の上下動に追従して回転するが、前記作動部材２３は、設計如何によっては水平方向へと進退動するタイプでも良い。
【００２４】
次に図８乃至図１６に示す他の実施例について説明する。なお、他の実施例の説明にあたって、前記第１実施例と同一の部分には、同一又は同様の符合を付して重複する説明を省略する。
【００２５】
図８及び図９は、本発明の第２実施例である。この第２実施例において、前記第１実施例と主に異なる点は、左側（一方）の鎌受け摺動片３Ａの上面１２に、右側（他方）の鎌受け摺動片３の上面を受ける水平支持板状のバネ端支持腕４１を設けたことである。バネ端支持腕部４１は、左側鎌受け摺動片３Ａの上面１２の中央部から他方の鎌受け摺動片３の上面１２へと延びている。そこで、この実施例ではバネ部材８Ａは一つである。なお、この実施例のバネ端支持腕４１は一方の鎌受け摺動片３Ａの上面１２に一体的に形成されているが、一体的であることは発明の特定要件ではない。バネ端支持腕４１を別体の矩形状支持板にし、左右の鎌受け摺動片３Ａ，３の各上面１２に載置しても良い。
【００２６】
上記構成においては、鎌片４の先端部４ａが、例えば図９で示すように左側鎌受け摺動片３Ａの段差状中間係合部９ｂと、右側鎌受け摺動片３の段差状上方係合部９ａにそれぞれ係合した場合には、前記一方鎌受け摺動片３Ａのみがバネ部材８Ａのバネ力に抗して持ち上げられる。
【００２７】
しかして、援用する図２の操作片２１の操作により作動部材２３が上昇し、その結果、鎌片４が非掛合状態になると、他方の鎌受け摺動片３は自重により、又はバネ部材８Ａで下方へと戻された一方の鎌受け摺動片３Ａを介して下降する。
【００２８】
図１０及び図１１は、本発明の第３実施例である。この第３実施例において、前記第１実施例と主に異なる点は、左右の鎌受け摺動片３Ｂ，３Ｂの上面１２Ｂ，１２Ｂの一端部に、鎌片４の先端部４ａが入り込む対向状切欠部４２，４２を形成したことである。また左右の鎌受け摺動片３Ｂ，３Ｂの一側壁３６Ｂに、鎌片４の中間部４ｃを係止する左右対象の逆さ段差受け部９Ｂを形成したことである。さらに、この第３実施例においては、前記一側壁３６Ｂと交差する垂直の対向側壁３８Ｂの内壁面は、普通一般の壁面形状であり、段差状とはなっていない点も異なる。なお、前記対向状切欠部４２，４２の合計幅は、鎌片４の先端部４ａの幅よりも広く設定されている。また、バネ部材８Ｂは第１実施例と同様に２個用いられている。
【００２９】
上記構成においては、左右の鎌受け摺動片３Ｂ，３Ｂの一側壁３６Ｂが外框２の縦板２ａの内壁面に対向する。そこで、援用する図２の操作片２１の操作により作動部材２３が下降し、その結果、鎌片４が掛合状態になると、第１実施例とは相違し、図１１で示すように鎌片４の先端部４ａが左右の鎌受け摺動片３Ｂ，３Ｂの対向状切欠部４２，４２内に突き抜けるように入り込み、それと同時に鎌片４の中間部４ｃが左右対象の逆さ段差受け部９Ｂに係合する。
【００３０】
図１２及び図１３は、本発明の第４実施例である。この第４実施例は、前述した第２実施例と第３実施例とを組み合わせたタイプである。したがって、重複説明を避けるために、これらの実施例で使用した符合と同様の符合を用いながら第１実施例と異なる点を列挙する。
▲１▼まず、左側の鎌受け摺動片３Ｃの一側壁３６Ｃと交差する垂直の対向側壁３８Ｃの上端縁１２Ｃに、右側の鎌受け摺動片３Ｃの上端縁１２Ｃを受けるバネ端支持腕４１Ｃが設けられている。バネ端支持腕４１Ｃは、第２実施例と同様に幅広の水平板である。この幅広の水平板４１Ｃは、本実施例では上端縁１２Ｃに一体的に形成されているが、バネ部材８Ｃを受ける機能を有すれば十分であるから、上端縁１２Ｃと別体であっても良い。この（別体）場合、支持板の両端部を垂直対向側壁３８Ｃの上端縁１２Ｃ或いは上端縁に適宜に延設した上面に載せることが望ましい。
▲２▼バネ部材８Ｃは一つである。
▲３▼左右の鎌受け摺動片３Ｃ，３Ｃの上端縁１２ＣはＬ字型であり、上面を有しない。
したがって、左右の鎌受け摺動片３Ｃ，３Ｃの両部材によって形成された矩形状開口４５内に鎌片４の先端部が入り込む。
▲４▼垂直の対向側壁３８Ｃの内壁面は、普通一般の壁面形状であり、段差状とはなっていない。
▲５▼左右の鎌受け摺動片３Ｃ，３Ｃの一側壁３６Ｃに、鎌片４の中間部４ｃを係止する左右対象の逆さ段差受け部９Ｃを形成している。
【００３１】
上記構成において、、左右の鎌受け摺動片３Ｃ，３Ｃの一側壁３６Ｃが外框２の縦板２ａの内壁面に対向する。そこで、援用する図２の操作片２１の操作により作動部材２３が下降し、その結果、鎌片４が掛合状態になると、第１実施例とは相違し、図１３で示すように鎌片４の先端部４ａが左右の鎌受け摺動片３Ｃ，３Ｃの矩形状開口４５内に突き抜けるように入り込み、それと同時に鎌片４の中間部４ｃが左右対象の逆さ段差受け部９Ｃに係合する。したがった、この実施例の作用は第３実施例と同様である。
【００３２】
図１４乃至図１６は、本発明の第５実施例である。この第５実施例において、前記第１実施例と主に異なる点は、鎌受け回動片３Ｄである。この実施例の鎌受け摺動片は、「鎌受け回動片３Ｄ」という用語がふさわしいので、該用語を使用することにする。
【００３３】
まず、第１実施例の左右の鎌受け摺動片３，３は、外框２内にバネ部材８のバネ力に抗して上下動可能に内装されているが、この実施例の鎌受け回動片３Ｄは、外框２に横設軸架された固定軸４６に回動自在に軸支された多数の回動板４７で構成されている点が異なる。回動板４７は全て扇形状をしており、本実施例では合計１２枚使用されている。なお、回動板４７は４枚以上１９枚以下であることが望ましい。
【００３４】
次に、第１実施例の左右の鎌受け摺動片３，３は、２個のバネ部材８のバネ力に抗してそれぞれ上下動可能に内装されているが、この実施例の鎌受け回動片３Ｄは、バネ部材の一例である板バネ部材８Ｄに形成された多数の押圧指部４９のバネ力に抗して回動する点が異なる。この多数の押圧指部４９は、引戸の閉止位置に対応して鎌片４と選択的に係合する。
【００３５】
板バネ部材８Ｄは、基端部に固着具５０用の貫通小孔５１を有し、この貫通小孔５１及び固着具５０を介して外框２の内壁面に適宜に取り付けられる。その際板バネ部材８Ｄの基端部寄りの部位は、前述した固定軸４６と同様に外框２に固定的に横設した支持棒５２に支持される。
【００３６】
ところで、図１６で示すように前記各押圧指部４９は、各回動板４７の下方にそれぞれ対応するように配設されてるので、本実施例では、回動板４７の数に相応して合計１２本設けられている。これは「例えばスリットを有するオルゴールの振動弁」に似ている。
【００３７】
したがって、板バネ部材８Ｄを外框２の内壁面に固定する際には、押圧指部４９の両側は、各回動板４７に対して位置合わせ用基準指としての意味合いを有する。
【００３８】
上記構成において、図１４は鎌片４が非掛合状態の場合である。この場合各回動版４７は各押圧指部４９に全て均等状態に支持されているので、いわゆる整列状態である。これに対し、図１５は鎌片４が掛合状態の場合である。この場合鎌片４の先端部ではなく、鎌片４の先端部４ａから中間部４ｃに至るやや湾曲状外壁面４ｄが相応する各押圧指部４９の周壁面の一部に摺接する。
【００３９】
その結果、図１５及び図１６で示すように鎌片４の湾曲状外壁面４ｄによって押された数枚の回動板４７は、各押圧指部４９のバネ力に抗しながら下方（半時計方向）へと多少回転する。この時掛合した鎌片４は回転しなかった左右の回動板４７に係止状態に挟まれる。
【００４０】
なお、援用する図２の操作片２１の操作により作動部材２３が上昇し、その結果、鎌片４が非掛合状態になると、整列状態を乱した各回動板４７はバネ部材８Ｄのバネ力により初期位置へと復帰する。
【００４１】
【発明の効果】
以上の説明から明らかなように、本発明にあっては、次に列挙するような作用・効果がある。
（１）引戸を閉めた際に引戸の位置ズレが若干あっても、鎌片を係止可能或いは係止状態にすることができる。したがって、本発明においては、オプションとしての自動閉鎖装置を鎌錠装置と別個に取り付ける必要性はない。
第３の目的は、鎌錠装置の取り付け作業の効率化を図ることができることである。
（２）引戸の位置ズレの許容範囲を可能な限り広げることができる。
（３）左右１対の鎌受け摺動片は、鎌片を受ける段差状受け部を有するので、鎌片の取り付け位置が多少ズレても、いわゆる微調整をする必要がない。特に段差状受け部が階段状の場合には、鎌錠装置の取り付け作業の効率化を図ることができる。
（４）第５実施例の場合には、引戸の位置ズレに微妙に対応することができる。
【図面の簡単な説明】
図１乃至図７は本明の第１実施例を示す各説明図。図８及び図９は本発明の第２実施例を示す各説明図。図１０及び図１１は本発明の第３実施例を示す各説明図。図１２及び図１３は本発明の第４実施例を示す各説明図。図１４乃至図１６は本発明の第５実施例を示す各説明図。
【図１】発明の実施形態の一例を示す概略説明図。
【図２】実施形態の概略断面説明図。
【図３】主要部材の説明図。
【図４】及び
【図５】鎌片と鎌受け摺動片との非掛合状態を示す各説明図。
【図６】及び
【図７】鎌片と鎌受け摺動片との掛合状態を示す各説明図。
【図８】及び
【図９】第２実施例の主要部材の各説明図。
【図１０】及び
【図１１】第３実施例の主要部材の各説明図。
【図１２】及び
【図１３】第４実施例の主要部材の各説明図。
【図１４】第５実施例の鎌片と鎌受け回動片との非掛合状態を示す説明図。
【図１５】図１４において、鎌片と鎌受け回動片との掛合状態を示す説明図。
【図１６】鎌片が鎌受け回動片に掛合した場合の説明図。
【符号の説明】
Ｘ…鎌錠装置、１…一方の引戸、２…外框、３，３Ａ，３Ｂ，３Ｃ…鎌受け摺動片、３Ｄ…鎌受け回動片、４…鎌片、４ａ…先端部、４ｂ…後端部、４ｃ…中間部、４ｄ…湾曲状外壁面、５…内框、６…他方の引戸、８，８Ａ，８Ｂ，８Ｃ，８Ｄ…バネ部材、９，９Ａ，９Ｂ，９Ｃ…受け部、１０…ストッパー、１２，１２Ｂ…上面、１２Ｃ…上端縁、１３…係合孔、１５…フロント、１６…鎌片出入り口、１７…固定枠、２１…操作片、２３…作動部材、３６，３６Ｂ，３６Ｃ…一側壁、３８，３８Ｂ，３８Ｃ…対向側壁、４１，４１Ｃ…バネ端支持腕、４２…対向状切欠部、４５…開口、４６…固定軸、４７…回動板、４９…押圧指部、５０…固着具、５１…貫通小孔、５２…支持棒。
【図１】
0004169903.tif 000002
【図２】
0004169903.tif 000003
【図３】
0004169903.tif 000004
【図４】
0004169903.tif 000005
【図５】
0004169903.tif 000006
【図６】
0004169903.tif 000007
【図７】
0004169903.tif 000008
【図８】
0004169903.tif 000009
【図９】
0004169903.tif 000010
【図１０】
0004169903.tif 000011
【図１１】
0004169903.tif 000012
【図１２】
0004169903.tif 000013
【図１３】
0004169903.tif 000014
【図１４】
0004169903.tif 000015
【図１５】
0004169903.tif 000016
【図１６】
0004169903.tif 000017